(57)【要約】【課題】スイッチ端子がコネクタタイプの電磁スイッチにおいて、コネクタを外すことなく導通チェックが可能な電磁スイッチを提供すること。【解決手段】電磁スイッチ１には、ケース４からコイル２の一端部が結線されるスイッチ端子金具５が突出して設けられ、その径方向周囲に雄コネクタ部４ａが形成され、これにコイル給電用ケーブルの先端に設けられる雌コネクタ部が接続される。ここで、市場において、電磁スイッチ１の導通チェックを行うとき、ケース４にはスイッチ端子金具５まで貫通する貫通孔４ｂが形成されるため、テスターの接触子を貫通孔４ｂに挿入することで、接触子をスイッチ端子金具５に接触させることができる。【選択図】図３
2010218939.tif 000002
【特許請求の範囲】
【請求項１】
通電時に電磁石を形成するコイルと、
前記コイルの起磁力により間接的に開閉を駆動される接点と、
前記接点を内部に有するケースと、
前記コイルの一端部が結線されると共にその一部が前記ケースから突出して設けられるスイッチ端子金具と、
前記ケースの一部に形成されると共に前記スイッチ端子金具の突出部の径方向周囲を覆うコネクタ部と、を備える電磁スイッチにおいて、
前記ケースは、外側から前記スイッチ端子金具に向かって形成される貫通孔を有することを特徴とする電磁スイッチ。
【請求項２】
請求項１に記載の電磁スイッチにおいて、
前記貫通孔は、その軸線上に前記スイッチ端子金具が位置するように設けられることを特徴とする電磁スイッチ。
【請求項３】
請求項１または２に記載の電磁スイッチにおいて、
前記貫通孔の内側とスイッチ端子金具との空間には、前記貫通孔と同軸上に設けられる中空部を有するシール手段が狭設されることを特徴とする電磁スイッチ。
【請求項４】
請求項１〜３に記載の何れかの電磁スイッチにおいて、
前記貫通孔の開口部には、着脱自在に設けられる蓋が設けられることを特徴とする電磁スイッチ。
【請求項５】
請求項４に記載の電磁スイッチにおいて、
前記蓋には、シール部材が設けられることを特徴とする電磁スイッチ。
【請求項６】
請求項１〜５に記載の何れかの電磁スイッチにおいて、
前記貫通孔には、伸縮孔を有する栓が設けられることを特徴とする電磁スイッチ。
【発明の詳細な説明】
【技術分野】
【０００１】
本発明は、スタータモータの通電電流をオン／オフするスタータ用電磁スイッチに関する。
【背景技術】
【０００２】
従来より、コイルへの通電によって生じる起磁力を利用して接点間を断続することでスタータモータの通電電流をオン／オフするスタータ用電磁スイッチが知られている。
【０００３】
この電磁スイッチは、スイッチ端子を介してキースイッチに接続されるスイッチコイルを有し、キースイッチが閉操作されると、バッテリからスイッチコイルに通電されて電磁石が形成される。スイッチコイルの内側には、強磁性体であるプランジャが摺動自在に配置され、電磁石が形成されると、電磁石の磁気回路に設けられる固定鉄心とプランジャとの間に吸引力が発生して、プランジャが固定鉄心側へ移動することにより、スタータモータのメイン接点を閉じる。一方、キースイッチが開操作されてスイッチコイルの通電が停止すると、固定鉄心とプランジャとの間に働く吸引力が消滅するため、プランジャがリターンスプリングに押し戻されて、メイン接点を開く。
【０００４】
ここで、スイッチ端子には、導線をナットによって固定するボルトタイプと、導線の先に形成されたコネクタを接続するコネクタタイプがある。
【０００５】
特許文献１は、スイッチ端子がボルトタイプの電磁スイッチの一例である。スイッチ端子のボルトは、頭部が電磁スイッチのケースにインサート成形され、ケースの外側に軸部が突出して設けられる。ボルトは、ケースの内部においてコイルの一端部が接続され、コイルと導通している。そして、キースイッチに接続する導線の端部には結線部が形成され、これがナットによってボルトの軸部へ締め付けられ、固定される。
【０００６】
特許文献２は、スイッチ端子がコネクタタイプの電磁スイッチの一例である。ケースには、コイルの一端部が接続されるスイッチ端子金具が挿通し、その一部がケースの外側に突出している。スイッチ端子金具の突出部の周囲には、ケースと一体に成形される雄コネクタ部が形成され、これがキースイッチに接続される導線の端部に形成された雌コネクタ部と係合することで、接続される。
【先行技術文献】
【特許文献】
【０００７】
【特許文献１】特開２００６−２８６２５８号公報
【特許文献２】特開２００６−１７７１６０号公報
【発明の概要】
【発明が解決しようとする課題】
【０００８】
ところで、市場にて車輌の電気系の不具合が発生した場合、原因を究明するために各部導通チェックを行うことがある。このとき、配線と各機器の端子の導通部にテスターの接触子を当てて導通の有無や接触抵抗を調べる。スタータの電磁スイッチの導通チェックにおいて、スイッチ端子がボルトタイプであれば、結線部の付近に端子が露出した部分があり、その部位に接触子を当てる事ができる。しかし、コネクタタイプの場合は端子が露出していないため、配線を結線したままで導通状態をチェックする事ができなかった。本発明は、上記事情に基づいて成されたもので、その目的は、コネクタタイプでもスイッチ端子の導通チェックが可能な電磁スイッチの提供にある。
【課題を解決するための手段】
【０００９】
（請求項１の発明）
本発明は、通電時に電磁石を形成するコイルと、コイルの起磁力により間接的に開閉を駆動される接点と、接点を内部に有するケースと、コイルの一端部が結線されると共にその一部がケースから突出して設けられるスイッチ端子金具と、ケースの一部に形成されると共にスイッチ端子金具の突出部の径方向周囲を覆うコネクタ部と、を備える電磁スイッチにおいて、ケースは、外側からスイッチ端子金具に向かって形成される貫通孔を有することを特徴とする。
【００１０】
上記構成によれば、テスターの接触子を貫通孔へ挿入してスイッチ端子金具へ接触させることにより、コネクタタイプの電磁スイッチにおいて、配線を結線したままで導通チェックを行うことができる。
（請求項２の発明）
請求項１に記載の電磁スイッチにおいて、貫通孔は、その軸線上にスイッチ端子金具が位置するように設けられることを特徴とする。
【００１１】
これによって、棒状のテスターの接触子を貫通孔へ挿入すれば、必然的に接触子はスイッチ端子金具と接触する。このため、導通チェックを更に容易にすることができる。
（請求項３の発明）
請求項１または２に記載の電磁スイッチにおいて、貫通孔の内側とスイッチ端子金具との空間には、貫通孔と同軸上に設けられる中空部を有するシール手段が狭設されることを特徴とする。
【００１２】
これによって、外部より水分が貫通孔を介して内部へ浸入しても、水分がシール手段よりも外側へ広がることを防ぐことができる。このため、接点室に水分が侵入して不具合をきたす事はない。
（請求項４の発明）
請求項１〜３に記載の何れかの電磁スイッチにおいて、貫通孔の開口部には、着脱自在な蓋が設けられることを特徴とする。
【００１３】
これによって、外部から貫通孔に水分が侵入することを抑制できる。また、蓋は着脱自在であるため、導通チェックのときは蓋を外すことで貫通孔へテスターの接触子を挿入することができる。
（請求項５の発明）
請求項４に記載の電磁スイッチにおいて、蓋には、シール部材が設けられることを特徴とする。
【００１４】
これによって、貫通孔の内周面と蓋との隙間から水分が浸入することを確実に防止することができる。
（請求項６の発明）
請求項１〜５に記載の何れかの電磁スイッチにおいて、貫通孔には、伸縮孔を有する栓が設けられることを特徴とする。
【００１５】
これによって、栓は導通チェック用のテスターの接触子が挿入されるときに開き、テスターを抜くと閉じるため、通常の使用において外部より内部へ水分が浸入することを防ぐことができる。また、導通チェック時にわざわざ蓋を外し、また導通チェック後に蓋を元に戻す作業を行う必要がないため、作業を更に容易にできる。
【図面の簡単な説明】
【００１６】
【図１】電磁スイッチの軸方向断面図であり、中心線より上側は作動状態を、中心線より下側は非作動状態を示している。
【図２】コイルが巻回されるボビンの軸方向断面図である。
【図３】電磁スイッチの要部断面図である（実施例１）。
【図４】電磁スイッチの要部断面図である（実施例２）。
【図５】電磁スイッチの要部断面図である（実施例３）。
【図６】電磁スイッチの要部断面図である（実施例４）。
【図７】電磁スイッチの要部断面図である（実施例５）。
【図８】電磁スイッチの要部断面図である（実施例６）。
【発明を実施するための形態】
【００１７】
（実施例１）
実施例１の電磁スイッチ１について、図１〜３を用いて説明する。
【００１８】
実施例１に係る電磁スイッチ１は、図１に示す様に、通電時に電磁石を形成するコイル２と、コイル２の起磁力により間接的に開閉を駆動される接点３と、接点３を内部に有するケース４と、コイル２の一端部が結線されると共にその一部がケース４から突出して設けられるスイッチ端子金具５と、ケース４の一部に形成されると共にスイッチ端子金具５の突出部５ａの径方向周囲を覆う雄コネクタ部４ａ（本発明のコネクタ部）と、を備える。
【００１９】
コイル２は、図２に示す様に、両端に鍔部が形成され円筒形状を有するボビン６に二層状態で巻回された吸引コイル２ａと保持コイル２ｂとで構成される。ボビン６の一端側の鍔部には、スイッチ端子金具５が固定されるスイッチ端子固定部６ａとモータ端子金具７が固定されるモータ端子固定部６ｂが突出して形成される。そして、両コイル２ａ、２ｂの一端部は共にスイッチ端子金具５に結線され、吸引コイル２ａの他端部がモータ端子金具７に結線される。また、保持コイル２ｂの他端部は、例えば、ステーショナリコア９を介してアース接続される。ボビン６は、後述のヨーク８の内部に収容される。
【００２０】
ヨーク８は、図１に示す様に、一端側に底壁部８ａが形成される円筒形状を有し、例えば鉄などの金属材料からなる。ヨーク８の底壁部８ａには、コイル２が巻回されるボビン６が配設される。また、ヨーク８の開口部側にはステーショナリコア９がかしめ固定され、ボビン６を底壁部６ａとの間に保持している。ここで、ステーショナリコア９は、内周部に軸方向に凸部９ａが延設され、この凸部９ａがボビン６の中空部へ挿入されるように組み付けられている。また、ボビン６の中空部の底壁部側には、摺動潤滑のためのスリーブ１０を介してプランジャ１１が挿入され、軸方向移動可能に設けられている。そして、プランジャ１１は、ステーショナリコア９との間に設けられるリターンスプリング１２によって、ヨーク８の底部側へ付勢される。
【００２１】
接点３は、図１に示す様に、ケース４内に固定される一対の固定接点３ａと、コイル２の起磁力によって間接的に駆動される可動接点３ｂからなる。
【００２２】
一対の固定接点３ａは、図１に示す様に、後述のケース４の底部から突出して設けられる２本の端子ボルト１３、１４の頭部１３ａ、１４ａに一体に設けられる。ボルト１３の軸部にはバッテリ（図示せず）に接続されるバッテリケーブル（図示せず）が接続され、ボルト１４の軸部にはモータ（図示せず）のリード線（図示せず）が接続される。
【００２３】
可動接点３ｂは、図１に示す様に、プランジャ１１のステーショナリコア９側の端部に圧入によって固定されるロッド１５の先端側に軸方向移動可能に設けられている。そして、可動接点３ｂは、ロッド１５を軸にしてプランジャ１１との間に設けられる接点圧スプリング１６によって固定接点３ａ側へ付勢されている。電磁スイッチ１非作動時においては、可動接点３ｂは接点圧スプリング１６による付勢力を受けてロッド１５の先端に固定されるストッパ１７の位置で止まっている。電磁スイッチ１作動時において、可動接点３ｂは、固定接点３ａへの接触によりストッパ１７から離れ、接点圧スプリング１６が押し縮められる。これによって、接点３間の接触圧は加勢される。可動接点３ｂの接触により固定接点３ａ間は短絡され、バッテリ（図示せず）とモータ（図示せず）は導通する。
【００２４】
ケース４は、図１に示す様に、有底円筒形状を有し、例えば樹脂からなる。ケース４の内部には、接点３を収容する接点室４ａが形成される。そして、ケース４の底部には、ボルト１３、１４がインサート成形されており、接点室４ａ内においてボルト１３、１４の頭部１３ａ、１４ａに一対の固定接点３ａが設けられることは前述のとおりである。また、ケース４の底部であって、ボルト１３、１４と一定の距離を隔てた位置には、後述のスイッチ端子金具５を挿通するためのスリットが形成されている。ケース４の開口部は、ヨーク８の開口部の内側に嵌合し、かしめ固定される。尚、ケース４とステーショナリコア９との間にはパッキン１８が狭設され、ケース４とヨーク８との隙間から電磁スイッチ１内部へ水分が浸入することを防いでいる。
【００２５】
スイッチ端子金具５は、図３に示す様に、一端側がボビン６の端子固定部６ａに圧入固定される。スイッチ端子金具５の圧入部付近には腕部５ｂが形成され、吸引コイル２ａと保持コイル２ｂの端部がこの腕部５ｂにかしめ固定により結線される。スイッチ端子金具５の他端部は、ケース４の底部に形成されるスリットに挿通し、一部がケース４の外側へ突出する突出部５ａを有している。
【００２６】
雄コネクタ部４ａは、図３に示す様に、スイッチ端子金具５の突出部の径方向周囲を覆うように、ケース４の底部から突出するように形成されている。そして、運転手がエンジン始動時に操作するキースイッチに接続されるコイル給電用ケーブルの先端に形成された雌コネクタ部（図示せず）が雄コネクタ部４ａに嵌合し、電気的に接続される。
【００２７】
続いて、本発明に係る貫通孔４ｂについて図３を用いて説明する。
【００２８】
貫通孔４ｂは、図３に示す様に、ケース４の外周面からスイッチ端子金具５が収容される空間まで貫通するように形成されている。即ち、貫通孔を通して外側からスイッチ端子金具５へ到達できるようになっている。また、貫通孔４ｂは、その軸線上にスイッチ端子金具が位置するように設けられている。
【００２９】
次に、電磁スイッチ１の作動を図１を用いて説明する。
【００３０】
なお、図１の中心線より上側は、プランジャ１１がステーショナリコア９に吸引された状態（作動状態）を示し、中心線より下側は、プランジャ１１がリターンスプリング１２によって押し戻された状態（非作動状態）を示している。
【００３１】
運転手によるキースイッチの閉操作により、コイル２に通電されてステーショナリコア９が磁化されると、ステーショナリコア９とプランジャ１１との間に吸引力が作用するため、プランジャ１１がステーショナリコア９に吸引されて、リターンスプリング１２を押し縮めながら図１の右方向へ移動する。このプランジャ１１の移動により、ロッド１５の端部に支持された可動接点３ｂが一対の固定接点３ａに当接して接点３が閉状態になる。これによって、バッテリの給電を受けてモータが作動し、モータの回転力を受けるピニオンギヤがエンジンのリングギヤを回すことにより、エンジンが始動する。
【００３２】
エンジン始動後、キースイッチが開操作されると、コイル２への通電停止により吸引力が消滅するため、リターンスプリング１２の反力でプランジャ１１が図１の左方向へ押し戻され、可動接点３ｂが一対の固定接点３ａから離れることで、接点３が開状態となる。これと同時に、モータへの給電が停止される。
（実施例１の効果）
ケース４に、スイッチ端子金具５が収容される空間まで貫通する貫通孔４ｂが形成されることにより、コイル給電用ケーブルの雌コネクタ部を雄コネクタ部４ａから外すことなく電磁スイッチ１の導通チェックが可能となる。即ち、テスターの接触子を貫通孔４ｂへ挿入しスイッチ端子金具５へ接触させることで、導通チェックを行うことができる。
【００３３】
また、軸線上にスイッチ端子金具を有する位置に貫通孔４ｂが設けられるため、棒状を有するテスターの接触子を貫通孔へ挿入すれば、必然的に接触子はスイッチ端子金具５と接触する。このため、導通チェックを更に容易にすることができる。
（実施例２）
実施例２の電磁スイッチ１は、図４に示す様に、貫通孔４ｂのケース４内部側とスイッチ端子金具５との空間に、貫通孔４ａと同軸上に設けられる中空部を有するシール手段１９が狭設される。
【００３４】
これによって、外部より水分が貫通孔４ａを介して内部へ浸入しても、水分がシール手段１９よりも外側へ広がって、接点室４ａ等に水分が侵入して不具合をきたす事はない。
【００３５】
その他の構成、効果は実施例１と同様である。
（実施例３）
実施例３の電磁スイッチ１には、図５に示す様に、貫通孔４ｂの開口部に着脱自在な蓋２０が設けられる。
【００３６】
これによって、外部から貫通孔４ｂに水分が侵入することを抑制できる。また、蓋２０は着脱自在であるため、導通チェックのときは蓋２０を外すことで貫通孔４ｂへテスターの接触子を挿入することができる。
【００３７】
その他の構成、効果は実施例１と同様である。
（実施例４）
実施例４の電磁スイッチ１には、図６に示す様に、貫通孔４ｂの開口部に着脱自在であって、貫通孔４ｂの内側面との当接面にＯリング（本発明のシール部材）が設けられる蓋２１が設けられる。
【００３８】
これによって、貫通孔４ｂの内周面と蓋２１との隙間から水分が浸入することを確実に防止することができる。
【００３９】
その他の構成、効果は実施例１と同様である。
（実施例５）
実施例５の電磁スイッチ１には、図７に示す様に、貫通孔４ｂに伸縮孔を有する円筒状の栓２２が設けられる。この栓２２は、例えばゴムなどの伸縮可能な材料からなる。そして、栓２２は貫通孔４ｂに圧入により組み付けられるため、径方向に押し縮められ伸縮孔が閉じている。
【００４０】
これによって、通常は、貫通孔４ｂに圧入される栓２２の伸縮孔が閉じていることにより、外部より水分が浸入することを防止することができる。また、導通チェック時においては、テスターの接触子を栓２２の伸縮孔に押し込む事で伸縮孔が開いて挿入することができる。導通チェックを終え、接触子を抜くと、再び伸縮孔は閉じるためシール性を得ることができる。実施例４、５のように貫通孔４ｂに蓋２０（２１）を設ける場合に比べ、蓋の着脱の作業が不要なため、導通チェック作業を更に容易にすることができる。
【００４１】
その他の構成、効果は実施例１と同様である。
（実施例６）
実施例６の電磁スイッチ１は、実施例１においてスイッチ端子金具５がケース４に形成されるスリットに挿入されて設けられるのに対し、図８に示す様に、スイッチ端子金具５がケース４にインサート成形により設けられる。
【００４２】
インサート成形時には、成形型においてスイッチ端子金具５の位置決めをするため棒状の冶具が用いられる。このため、ケース４にはスイッチ端子金具まで貫通する貫通孔４ｂが必然的に形成される。これによって、導通チェック用の穴をわざわざ形成する必要がなく、貫通孔４ｂを導通チェック用の穴として有効利用することができる。
【００４３】
その他の構成、効果は実施例１と同様である。
（変形例）
実施例５の電磁スイッチ１において、貫通孔４ｂに栓２２を設ける代わりに、貫通孔４ｂのケース４内側に一端が固定され、他端が固定されない片持ち梁構造を有する弁を設けても良い。この場合、通常時においては弁が貫通孔４ｂを内側から塞ぐことにより、外部より内部へ水分の侵入を防ぐことができる。また、導通チェック時においては、貫通孔４ｂにテスターの接触子を挿入すると、弁が接触子の先端から受ける荷重により撓み、接触子をスイッチ端子金具へ接触させることができる。
【符号の説明】
【００４４】
１    電磁スイッチ
２    コイル
３    接点
４    ケース
４ａ  雄コネクタ部
４ｂ  貫通孔
５    スイッチ端子金具
５ａ  突出部
１９  シール部材
２０  蓋
２１  Ｏリング（本発明のシール部材）付き蓋
２２  栓
【図１】
2010218939.tif 000003
【図２】
2010218939.tif 000004
【図３】
2010218939.tif 000005
【図４】
2010218939.tif 000006
【図５】
2010218939.tif 000007
【図６】
2010218939.tif 000008
【図７】
2010218939.tif 000009
【図８】
2010218939.tif 000010